(57)【要約】【課題】Ｒ４１０Ａと同等以上の成績係数（ＣＯＰ）と冷凍能力（Ｃａｐ）とを有し、ＧＷＰが十分に小さいという三種の性能を兼ね備える冷媒（混合冷媒）を含有する組成物を提供する。【解決手段】  冷媒を含有する組成物であって、  前記冷媒が、ＣＦ3Ｉ、ＣＯ2（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する組成物を提供する。【選択図】なし【特許請求の範囲】
【請求項１】
冷媒を含有する組成物であって、
前記冷媒が、ＣＦ3Ｉ、ＣＯ2（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する、組成物。
【請求項２】
冷媒を含有する組成物であって、
前記冷媒が、ＣＦ3Ｉ、ＣＯ2（Ｒ７４４）、ＨＦＣ−３２、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する、組成物。
【請求項３】
冷媒を含有する組成物であって、
前記冷媒が、ＣＦ3Ｉ、ＣＯ2（Ｒ７４４）及びＨＦＣ−３２を含有し、前記冷媒中の前記ＨＦＣ−３２の含有量が３０質量％以上である、組成物。
【請求項４】
前記冷媒が、更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂを含有する、請求項１〜３のいずれかに記載の組成物。
【請求項５】
前記冷媒が、前記ＣＦ3Ｉ、前記ＣＯ2及び前記化合物Ａの合計量を１００質量％として、前記ＣＦ3Ｉ及び前記ＣＯ2の合計量を０．１〜９０質量％含有し、前記化合物Ａを１０〜９９．９質量％含有する、請求項１に記載の組成物。
【請求項６】
前記冷媒が、前記ＣＦ3Ｉ、前記ＣＯ2、前記ＨＦＣ−３２及び前記化合物Ａの合計量を１００質量％として、前記ＣＦ3Ｉ、前記ＣＯ2及び前記ＨＦＣ−３２の合計量を０．１〜９０質量％含有し、前記化合物Ａを１０〜９９．９質量％含有する、請求項２に記載の組成物。
【請求項７】
Ｒ４１０Ａの代替冷媒として用いられる、請求項１〜６のいずれかに記載の組成物。
【請求項８】
更に、冷凍機油を含有し、冷凍機用作動流体として用いられる、請求項１〜７のいずれかに記載の組成物。
【請求項９】
請求項１〜８のいずれかに記載の組成物を作動流体として含む、冷凍機。
【請求項１０】
請求項１〜８のいずれかに記載の組成物を含む、熱移動媒体。
【請求項１１】
請求項１０に記載の熱移動媒体を用いた熱サイクルシステム。
【発明の詳細な説明】
【技術分野】
【０００１】
本開示は、冷媒を含有する組成物、熱移動媒体及び熱サイクルシステムに関する。
【背景技術】
【０００２】
家庭用エアコン等の空調用冷媒として現在、Ｒ４１０Ａが用いられている。Ｒ４１０Ａは、ジフルオロメタン（ＣＨ2Ｆ2；Ｒ３２）とペンタフルオロエタン（Ｃ2ＨＦ5；Ｒ１２５）との２成分混合冷媒であり、擬似共沸組成物である。
【０００３】
しかし、Ｒ４１０Ａの地球温暖化係数（ＧＷＰ）は２０８８であり、地球温暖化への懸念の高まりからＧＷＰが６７５のＲ３２がより多く使用されつつある。このため、Ｒ４１０Ａに代替可能な低ＧＷＰ混合冷媒が種々提案されている（特許文献１）。
【０００４】
また、本開示に関連する先行文献として、特許文献２、３等には、トリフルオロヨードメタン（ＣＦ3Ｉ）を含む冷媒組成物が開示されている。
【先行技術文献】
【特許文献】
【０００５】
【特許文献１】国際公開第２０１５／１４１６７８号
【特許文献２】特開２００９−２４１５２号公報
【特許文献３】特開平８−２７７３８９号公報
【発明の概要】
【発明が解決しようとする課題】
【０００６】
本発明者らは、独自の検討により、従来技術においては、Ｒ４１０Ａの代替冷媒となり得る、Ｒ４１０Ａと同等以上の成績係数［Coefficient of Performance（ＣＯＰ）］と冷凍能力［Refrigeration Capacity（Cooling Capacity、Capacity（Ｃａｐ）と表記されることもある）］とを有し、ＧＷＰが十分に小さいという三種の性能を兼ね備える冷媒組成物（混合冷媒）の開発には至っていないと着想するに至った。本開示はかかる独自の課題を解決することを目的とするものである。
【課題を解決するための手段】
【０００７】
本開示は、下記に掲げる態様の発明を提供する。
１．冷媒を含有する組成物であって、
前記冷媒が、ＣＦ3Ｉ、ＣＯ2（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する、組成物。
２．冷媒を含有する組成物であって、
前記冷媒が、ＣＦ3Ｉ、ＣＯ2（Ｒ７４４）、ＨＦＣ−３２、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する、組成物。
３．冷媒を含有する組成物であって、
前記冷媒が、ＣＦ3Ｉ、ＣＯ2（Ｒ７４４）及びＨＦＣ−３２を含有し、前記冷媒中の前記ＨＦＣ−３２の含有量が３０質量％以上である、組成物。
４．前記冷媒が、更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂを含有する、上記項１〜３のいずれかに記載の組成物。
５．前記冷媒が、前記ＣＦ3Ｉ、前記ＣＯ2及び前記化合物Ａの合計量を１００質量％として、前記ＣＦ3Ｉ及び前記ＣＯ2の合計量を０．１〜９０質量％含有し、前記化合物Ａを１０〜９９．９質量％含有する、上記項１に記載の組成物。
６．前記冷媒が、前記ＣＦ3Ｉ、前記ＣＯ2、前記ＨＦＣ−３２及び前記化合物Ａの合計量を１００質量％として、前記ＣＦ3Ｉ、前記ＣＯ2及び前記ＨＦＣ−３２の合計量を０．１〜９０質量％含有し、前記化合物Ａを１０〜９９．９質量％含有する、上記項２に記載の組成物。
７．Ｒ４１０Ａの代替冷媒として用いられる、上記項１〜６のいずれかに記載の組成物。
８．更に、冷凍機油を含有し、冷凍機用作動流体として用いられる、上記項１〜７のいずれかに記載の組成物。
９．上記項１〜８のいずれかに記載の組成物を作動流体として含む、冷凍機。
１０．上記項１〜８のいずれかに記載の組成物を含む、熱移動媒体。
１１．上記項１０に記載の熱移動媒体を用いた熱サイクルシステム。
【発明の効果】
【０００８】
本開示の冷媒（混合冷媒）は、Ｒ４１０Ａと同等以上の成績係数（ＣＯＰ）と冷凍能力（Ｃａｐ）とを有し、ＧＷＰが十分に小さいという三種の性能を兼ね備えており、本開示の冷媒を含む組成物は、例えば冷凍機用作動流体として好適である。
【発明を実施するための形態】
【０００９】
本発明者らは、上記の課題を解決すべく、鋭意研究を行った結果、ＣＦ3Ｉ、ＣＯ2（Ｒ７４４）を含有する特定組成の冷媒（混合冷媒）が上記性能を有しており、当該冷媒を含有する組成物が、例えば冷凍機用作動流体に好適であることを見出した。
【００１０】
本開示は、かかる知見に基づき、更に研究を重ねた結果完成されたものである。本開示は、以下の実施形態を含む。
【００１１】
＜用語の定義＞
本明細書において用語「冷媒」には、ＩＳＯ８１７（国際標準化機構）で定められた、冷媒の種類を表すＲで始まる冷媒番号（ＡＳＨＲＡＥ番号）が付された化合物が少なくとも含まれ、更に冷媒番号が未だ付されていないとしても、それらと同等の冷媒としての特性を有するものが含まれる。
【００１２】
冷媒は、化合物の構造の面で、「フルオロカーボン系化合物」と「非フルオロカーボン系化合物」とに大別される。「フルオロカーボン系化合物」には、クロロフルオロカーボン（ＣＦＣ）、ハイドロクロロフルオロカーボン（ＨＣＦＣ）及びハイドロフルオロカーボン（ＨＦＣ）が含まれる。「非フルオロカーボン系化合物」としては、プロパン（Ｒ２９０）、プロピレン（Ｒ１２７０）、ブタン（Ｒ６００）、イソブタン（Ｒ６００ａ）、二酸化炭素（Ｒ７４４）及びアンモニア（Ｒ７１７）等が挙げられる。
【００１３】
本明細書において、用語「冷媒を含有する組成物」には、（１）冷媒そのもの（冷媒の混合物を含む）と、（２）その他の成分を更に含み、少なくとも冷凍機油と混合することにより冷凍機用作動流体を得るために用いることのできる組成物と、（３）冷凍機油を含有する冷凍機用作動流体とが少なくとも含まれる。
【００１４】
本明細書においては、これらの三態様のうち、（２）の組成物のことを、冷媒そのもの（冷媒の混合物を含む）と区別して「冷媒組成物」と表記する。また、（３）の冷凍機用作動流体のことを「冷媒組成物」と区別して「冷凍機油含有作動流体」と表記する。
【００１５】
本明細書において、用語「代替」は、第一の冷媒を第二の冷媒で「代替」するという文脈で用いられる場合、第一の類型として、第一の冷媒を使用して運転するために設計された機器において、必要に応じてわずかな部品（冷凍機油、ガスケット、パッキン、膨張弁、ドライヤその他の部品のうち少なくとも一種）の変更及び機器調整のみを経るだけで、第二の冷媒を使用して、最適条件下で運転することができることを意味する。すなわち、この類型は、同一の機器を、冷媒を「代替」して運転することを指す。この類型の「代替」の態様としては、第二の冷媒への置き換えの際に必要とされる変更乃至調整の度合いが小さい順に、「ドロップイン（drop in）代替」、「ニアリー・ドロップイン（nealy drop in）代替」及び「レトロフィット（retrofit）」があり得る。
【００１６】
第二の類型として、第二の冷媒を用いて運転するために設計された機器を、第一の冷媒の既存用途と同一の用途のために、第二の冷媒を搭載して用いることも、用語「代替」に含まれる。この類型は、同一の用途を、冷媒を「代替」して提供することを指す。
【００１７】
本明細書において用語「冷凍機（refrigerating machine）」とは、物又は空間の熱を奪い去ることにより、周囲の外気よりも低い温度にし、かつこの低温を維持する装置全般のことをいう。言い換えれば、冷凍機は温度の低い方から高い方へ熱を移動させるために、外部からエネルギーを得て仕事を行いエネルギー変換する変換装置のことをいう。
【００１８】
本明細書において温度グライド（temperature glide）とは、熱サイクルシステムの構成要素内における、本開示の冷媒を含有する組成物の相変化過程の開始温度と終了温度との差の絶対値と言い換えることができる。
【００１９】
１．冷媒
１−１．冷媒成分
本開示の冷媒は、実施形態ごとに大別すると、実施形態１〜３（それぞれ冷媒１〜３ともいう）に分けることができる。冷媒１〜３は、いずれもＲ４１０Ａと同等以上の成績係数（ＣＯＰ）と冷凍能力（Ｃａｐ）とを有し、ＧＷＰが十分に小さいという三種の性能を兼ね備えており、それらの冷媒を含む組成物は、例えば冷凍機用作動流体として好適である。以下、冷媒１〜３について説明する。
【００２０】
なお、本開示において、Ｒ４１０Ａと同等以上の成績係数（ＣＯＰ）は、Ｒ４１０Ａに対するＣＯＰ比が９５％以上（好ましくは１００％以上）であることを意味し、Ｒ４１０Ａと同等以上の冷凍能力（Ｃａｐ）は、Ｒ４１０Ａに対する冷凍能力比が７５％以上（好ましくは９０％以上、より好ましくは９５％以上、最も好ましくは１００％以上）であることを意味する。また、ＧＷＰが十分に小さいとは、ＧＷＰが７５０以下、好ましくは６５０以下、より好ましくは４００以下、更に好ましくは１５０以下、最も好ましくは１以下であることを意味する。
【００２１】
＜実施形態１：冷媒１＞
冷媒１は、ＣＦ3Ｉ、ＣＯ2（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＣＦ3Ｃ≡ＣＨ；ＴＦＰ）からなる群より選択される少なくとも１種の化合物Ａを含有する混合冷媒であることを特徴とする。つまり、冷媒１は、ＣＦ3Ｉ、ＣＯ2及び化合物Ａを必須成分とし、化合物Ａとしては上記列挙されたものの中から少なくとも１種が選択される。
【００２２】
冷媒１は、このような構成を有することによって、Ｒ４１０Ａと同等以上の成績係数（ＣＯＰ）と冷凍能力（Ｃａｐ）とを有し、ＧＷＰが十分に小さいという三種の性能を兼ね備えている。
【００２３】
本開示の化合物Ａとしては、ＨＦＯ−１１２３、（Ｅ）−ＨＦＯ−１１３２、（Ｚ）−ＨＦＯ−１１３２、ＨＦＯ−１１４１及びＴＦＰが挙げられる。これらの化合物Ａは、単独で使用してもよく、また２種以上を組み合わせて使用してもよい。
【００２４】
上記化合物Ａを単独で使用する場合は、上記化合物Ａの中でも、Ｒ４１０Ａと同等のＣＯＰ及び同等程度の冷凍能力を有する観点から、ＨＦＯ−１１２３、（Ｅ）−ＨＦＯ−１１３２又はＨＦＯ−１１４１が好ましく、ＨＦＯ−１１２３又は（Ｅ）−ＨＦＯ−１１３２がより好ましい。
【００２５】
上記化合物Ａを２種以上組み合わせて使用する場合は、Ｒ４１０Ａと同等のＣＯＰ及び同等程度の冷凍能力を有する観点から、ＨＦＯ−１１２３、（Ｅ）−ＨＦＯ−１１３２及びＨＦＯ−１１４１の少なくとも２種の化合物を使用することが好ましい。
【００２６】
冷媒１は、前記ＣＦ3Ｉ、前記ＣＯ2及び前記化合物Ａの合計量を１００質量％として、前記ＣＦ3Ｉ及び前記ＣＯ2の合計量を０．１〜９０質量％含有し、前記化合物Ａを１０〜９９．９質量％含有する混合冷媒であることが好ましい。
【００２７】
その中でも、前記ＣＦ3Ｉ及び前記ＣＯ2の合計量を４０〜７０質量％含有し、前記化合物Ａを３０〜６０質量％含有する混合冷媒であることがより好ましい。この場合には、冷媒１はＧＷＰが１以下であり、ＣＯＰ比は１００％以上であり、冷凍能力比は７５％以上であり、Ｒ４１０Ａの代替冷媒としてより適した混合冷媒となる。
【００２８】
なお、冷媒１には、２０〜６９質量％のＣＦ3Ｉ、１〜１０質量％のＣＯ2及び３０〜７０質量％の化合物Ａが含まれていることが好ましい。
【００２９】
＜実施形態２：冷媒２＞
冷媒２は、ＣＦ3Ｉ、ＣＯ2（Ｒ７４４）、ＨＦＣ−３２、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有する混合冷媒であることを特徴とする。つまり、冷媒２は、ＣＦ3Ｉ、ＣＯ2、ＨＦＣ−３２及び化合物Ａを必須成分とし、化合物Ａとしては上記列挙されたものの中から少なくとも１種が選択される。
【００３０】
冷媒２は、このような構成を有することによって、Ｒ４１０Ａと同等以上の成績係数（ＣＯＰ）と冷凍能力（Ｃａｐ）とを有し、ＧＷＰが十分に小さいという三種の性能を兼ね備えている。
【００３１】
本開示の化合物Ａとしては、冷媒１と同様に、ＨＦＯ−１１２３、（Ｅ）−ＨＦＯ−１１３２、（Ｚ）−ＨＦＯ−１１３２、ＨＦＯ−１１４１及びＴＦＰが挙げられる。これらの化合物Ａは、単独で使用してもよく、また２種以上を組み合わせて使用してもよい。
【００３２】
上記化合物Ａを単独で使用する場合は、上記化合物Ａの中でも、Ｒ４１０Ａと同等のＣＯＰ及び同等程度の冷凍能力を有する観点から、ＨＦＯ−１１２３、（Ｅ）−ＨＦＯ−１１３２又はＨＦＯ−１１４１が好ましく、ＨＦＯ−１１２３又は（Ｅ）−ＨＦＯ−１１３２がより好ましい。
【００３３】
上記化合物Ａを２種以上組み合わせて使用する場合は、Ｒ４１０Ａと同等のＣＯＰ及び同等程度の冷凍能力を有する観点から、ＨＦＯ−１１２３、（Ｅ）−ＨＦＯ−１１３２及びＨＦＯ−１１４１の少なくとも２種の化合物を使用することが好ましい。
【００３４】
冷媒２は、前記ＣＦ3Ｉ、前記ＣＯ2、前記ＨＦＣ−３２及び前記化合物Ａの合計量を１００質量％として、前記ＣＦ3Ｉ、前記ＣＯ2及び前記ＨＦＣ−３２の合計量を０．１〜９０質量％含有し、前記化合物Ａを１０〜９９．９質量％含有する混合冷媒であることが好ましい。
【００３５】
その中でも、前記ＣＦ3Ｉ、前記ＣＯ2及び前記ＨＦＣ−３２の合計量を７０〜９０質量％含有し、前記化合物Ａを１０〜３０質量％含有する混合冷媒であることがより好ましい。この場合には、冷媒２はＧＷＰが１５０以下であり、ＣＯＰ比は９５％以上であり、冷凍能力比は９０％以上であり、Ｒ４１０Ａの代替冷媒としてより適した混合冷媒となる。
【００３６】
なお、冷媒２には、３８〜６９質量％のＣＦ3Ｉ、１〜１０質量％のＣＯ2、１５〜２２質量％のＨＦＣ−３２及び１５〜３０質量％の化合物Ａが含まれていることが好ましい。
【００３７】
＜実施形態３：冷媒３＞
冷媒３は、ＣＦ3Ｉ、ＣＯ2（Ｒ７４４）及びＨＦＣ−３２を含有し、前記冷媒中の前記ＨＦＣ−３２の含有量が３０質量％以上である混合冷媒であることを特徴とする。つまり、冷媒３は、ＣＦ3Ｉ、ＣＯ2及びＨＦＣ−３２を含む混合冷媒であって、冷媒中の前記ＨＦＣ−３２の含有量が３０質量％以上であることを必須とする。
【００３８】
冷媒３は、冷媒中のＨＦＣ−３２の含有量が３０質量％以上であればよいが、その中でも４０質量％以上がより好ましい。なお、冷媒中のＨＦＣ−３２の含有量の上限は６０質量％程度である。
【００３９】
＜実施形態１〜３（冷媒１〜３）に追加し得る化合物Ｂ＞
冷媒１〜３は、上記した各成分に加えて、更にテトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂを含有していてもよい。この場合には、化合物Ｂは、冷媒１〜３の、Ｒ４１０Ａと同等以上の成績係数（ＣＯＰ）と冷凍能力（Ｃａｐ）とを有し、ＧＷＰが十分に小さいという三種の性能を兼ね備えるという効果を損なわない範囲で含有する。
【００４０】
本開示の化合物Ｂとしては、ＦＣ−１４、ＨＦＣ−２３、ＨＦＣ−１２５、ＨＦＣ−１３４ａ、ＨＦＣ−１３４、ＨＦＣ−１５２ａ、ＨＦＣ−１５２、ＨＦＣ−１４３ａ、ＨＦＣ−１４３、ＨＦＣ−２２７ｅａ、ＨＦＯ−１２３４ｙｆ、（Ｅ）−ＨＦＯ−１２３４ｚｅ、ＨＦＯ−１２２５ｙｅ、ＨＦＯ−１２４３ｚｆ及びＨＦＯ−１２５２が挙げられる。化合物Ｂは、単独で使用してもよく、また２種以上を組み合わせて使用してもよい。
【００４１】
上記化合物Ｂを使用する場合は、上記化合物Ｂの中でも、ＧＷＰ、ＣＯＰ及び冷凍能力の観点から、ＨＦＣ−１２５、ＨＦＯ−１２３４ｙｆ及び（Ｅ）−ＨＦＯ−１２３４ｚｅの少なくとも１種が好ましい。また、不燃化の観点からは、ＨＦＣ−１２５（沸点−４８．１℃）はＨＦＣ−３２（沸点−５２℃）と沸点が近い不燃冷媒であるため、ＨＦＣ−１２５がより好ましい。
【００４２】
本開示の冷媒１〜３は、化合物Ｂを含有する場合には、ＣＦ3Ｉ、ＣＯ2、ＨＦＣ−３２、上記化合物Ａ及び上記化合物Ｂの合計量を１００質量％とした場合、それぞれ以下の（１）〜（３）に示される混合冷媒であることが好ましい。
（１）（冷媒１の場合）ＣＦ3Ｉ、ＣＯ2、上記化合物Ａ及び上記化合物Ｂの合計量を１００質量％として、ＣＦ3ＩとＣＯ2を２５〜６５質量％含有し、上記化合物Ａとして、（Ｅ）−ＨＦＯ−１１３２及び／又はＨＦＯ−１１２３を３０〜６０質量％含有し、上記化合物Ｂとして、ＨＦＯ−１２３４ｙｆ及び／又は（Ｅ）−ＨＦＯ−１２３４ｚｅを５〜１５含有する混合冷媒。
（２）（冷媒２の場合）ＣＦ3Ｉ、ＣＯ2、ＨＦＣ−３２、上記化合物Ａ及び上記化合物Ｂの合計量を１００質量％として、ＣＦ３ＩとＣＯ２を３０〜４５質量％含有し、ＨＦＣ−３２を３０〜５０質量％含有し、上記化合物Ｂとして、ＨＦＣ−１２５を０〜１２．５含有し、且つ残部がＲ１２３４ｙｆである混合冷媒。
（３）（冷媒３の場合）ＣＦ3Ｉ、ＣＯ2、３０質量％以上のＨＦＣ−３２及び上記化合物Ｂの合計量を１００質量％として、ＣＦ3ＩとＣＯ2を３０〜４５質量％含有し、ＨＦＣ−３２を３０〜５０質量％含有し、上記化合物Ｂとして、ＨＦＣ−１２５を０〜１２．５含有し、且つ残部がＨＦＯ−１２３４ｙｆ及び／又は（Ｅ）−ＨＦＯ−１２３４ｚｅである混合冷媒。
【００４３】
＜更に他の追加的な冷媒を含有する混合冷媒＞
本開示の冷媒１〜３は、上記の特性や効果を損なわない範囲内で、ＣＯ2、ＣＦ3Ｉ、上記化合物Ａ及び上記化合物Ｂに加えて、更に他の追加的な冷媒を含有する混合冷媒であってもよい。この場合、ＣＯ2、ＣＦ3Ｉ、上記化合物Ａ及び上記化合物Ｂの合計量が、本開示の冷媒全体に対して、９９．５質量％以上１００質量％未満であることが好ましく、９９．７５質量％以上１００質量％未満であることがより好ましく、９９．９質量％％以上１００質量％未満であることが更に好ましい。
【００４４】
上記追加的な冷媒としては、特に限定されず、この分野で広く使用されている公知の冷媒の中から幅広く選択できる。上記混合冷媒は、上記追加的な冷媒を単独で含んでいてもよいし、上記追加的な冷媒を２種以上を含んでいてもよい。
【００４５】
１−２．用途
本開示の冷媒は、冷凍機における作動流体として好ましく使用することができる。
【００４６】
本開示の冷媒を含有する組成物は、Ｒ４１０Ａ、Ｒ４０７Ｃ、Ｒ４０４Ａ等のＨＦＣ冷媒、及びＲ２２等のＨＣＦＣ冷媒の代替冷媒としての使用に適している。これらの中でも、本開示の冷媒を含有する組成物は、Ｒ４１０Ａの代替冷媒としての使用に特に適している。
【００４７】
２．冷媒組成物
本開示の冷媒組成物は、本開示の冷媒を少なくとも含み、本開示の冷媒と同じ用途のために使用することができる。
【００４８】
また、本開示の冷媒組成物は、更に少なくとも冷凍機油と混合することにより冷凍機用作動流体を得るために用いることができる。
【００４９】
本開示の冷媒組成物は、本開示の冷媒に加え、更に少なくとも一種のその他の成分を含有する。本開示の冷媒組成物は、必要に応じて、以下のその他の成分のうち少なくとも一種を含有していてもよい。
【００５０】
上述の通り、本開示の冷媒組成物を、冷凍機における作動流体として使用するに際しては、通常、少なくとも冷凍機油と混合して用いられる。
【００５１】
従って、本開示の冷媒組成物は、好ましくは冷凍機油を実質的に含まない。具体的には、本開示の冷媒組成物は、冷媒組成物全体に対する冷凍機油の含有量が好ましくは０〜１質量％であり、より好ましくは０〜０．５質量％であり、更に好ましくは０〜０．２５質量％であり、特に好ましくは０〜０．１質量％である。
【００５２】
２−１．水
本開示の冷媒組成物は微量の水を含んでもよい。
【００５３】
冷媒組成物における含水割合は、冷媒全体に対して、０〜０．１質量％であることが好ましく、０〜０．０７５質量％であることがより好ましく、０〜０．０５質量％であることが更に好ましく、０〜０．０２５質量％であることが特に好ましい。
【００５４】
冷媒組成物が微量の水分を含むことにより、冷媒中に含まれ得る不飽和のフルオロカーボン系化合物の分子内二重結合が安定化され、また、不飽和のフルオロカーボン系化合物の酸化も起こりにくくなるため、冷媒組成物の安定性が向上する。水分を含むことによる上記効果を得る観点では、含水割合の下限値は０．００１質量％程度である。例えば、０．００１〜０．１質量％、０．００１〜０．０７５質量％、０．００１〜０．０５質量％、０．００１〜０．０２５質量％の範囲で含水割合を調整することができる。
【００５５】
２−２．トレーサー
トレーサーは、本開示の冷媒組成物が希釈、汚染、その他何らかの変更があった場合、その変更を追跡できるように検出可能な濃度で本開示の冷媒組成物に添加される。
【００５６】
本開示の冷媒組成物は、上記トレーサーを一種単独で含有してもよいし、二種以上を含有してもよい。
【００５７】
上記トレーサーとしては、特に限定されず、一般に用いられるトレーサーの中から適宜選択することができる。好ましくは、本開示の冷媒に不可避的に混入する不純物とはなり得ない化合物をトレーサーとして選択する。
【００５８】
上記トレーサーとしては、例えば、ハイドロフルオロカーボン、ハイドロクロロフルオロカーボン、クロロフルオロカーボン、ハイドロクロロカーボン、フルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（Ｎ2Ｏ）等が挙げられる。これらの中でも、ハイドロフルオロカーボン、ハイドロクロロフルオロカーボン、クロロフルオロカーボン、ハイドロクロロカーボン、フルオロカーボン及びフルオロエーテルが好ましい。
【００５９】
上記トレーサーとしては、具体的には、以下の化合物（以下、トレーサー化合物とも称する）がより好ましい。
ＨＣＣ−４０（クロロメタン、ＣＨ3Ｃｌ）
ＨＦＣ−４１（フルオロメタン、ＣＨ3Ｆ）
ＨＦＣ−１６１（フルオロエタン、ＣＨ3ＣＨ2Ｆ）
ＨＦＣ−２４５ｆａ（１，１，１，３，３−ペンタフルオロプロパン、ＣＦ3ＣＨ2ＣＨＦ2）
ＨＦＣ−２３６ｆａ（１，１，１，３，３，３−ヘキサフルオロプロパン、ＣＦ3ＣＨ2ＣＦ3）
ＨＦＣ−２３６ｅａ（１，１，１，２，３，３−ヘキサフルオロプロパン、ＣＦ3ＣＨＦＣＨＦ2）
ＨＣＦＣ−２２（クロロジフルオロメタン、ＣＨＣｌＦ2）
ＨＣＦＣ−３１（クロロフルオロメタン、ＣＨ2ＣｌＦ）
ＣＦＣ−１１１３（クロロトリフルオロエチレン、ＣＦ2＝ＣＣｌＦ）
ＨＦＥ−１２５（トリフルオロメチル−ジフルオロメチルエーテル、ＣＦ3ＯＣＨＦ2）ＨＦＥ−１３４ａ（トリフルオロメチル−フルオロメチルエーテル、ＣＦ3ＯＣＨ2Ｆ）ＨＦＥ−１４３ａ（トリフルオロメチル−メチルエーテル、ＣＦ3ＯＣＨ3）
ＨＦＥ−２２７ｅａ（トリフルオロメチル−テトラフルオロエチルエーテル、ＣＦ3ＯＣＨＦＣＦ3）
ＨＦＥ−２３６ｆａ（トリフルオロメチル−トリフルオロエチルエーテル、ＣＦ3ＯＣＨ2ＣＦ3）
【００６０】
上記トレーサー化合物は、１０重量百万分率（ｐｐｍ）〜１０００ｐｐｍの合計濃度で冷媒組成物中に存在し得る。上記トレーサー化合物は３０ｐｐｍ〜５００ｐｐｍの合計濃度で冷媒組成物中に存在することが好ましく、５０ｐｐｍ〜３００ｐｐｍの合計濃度で冷媒組成物中に存在することがより好ましく、７５ｐｐｍ〜２５０ｐｐｍの合計濃度で冷媒組成物中に存在することが更に好ましく、１００ｐｐｍ〜２００ｐｐｍの合計濃度で冷媒組成物中に存在することが特に好ましい。
【００６１】
２−３．紫外線蛍光染料
本開示の冷媒組成物は、紫外線蛍光染料を一種単独で含有してもよいし、二種以上を含有してもよい。
【００６２】
上記紫外線蛍光染料としては、特に限定されず、一般に用いられる紫外線蛍光染料の中から適宜選択することができる。
【００６３】
上記紫外線蛍光染料としては、例えば、ナフタルイミド、クマリン、アントラセン、フェナントレン、キサンテン、チオキサンテン、ナフトキサンテン及びフルオレセイン、並びにこれらの誘導体が挙げられる。これらの中でも、ナフタルイミド及びクマリンが好ましい。
【００６４】
２−４．安定剤
本開示の冷媒組成物は、安定剤を一種単独で含有してもよいし、二種以上を含有してもよい。
【００６５】
上記安定剤としては、特に限定されず、一般に用いられる安定剤の中から適宜選択することができる。
【００６６】
上記安定剤としては、例えば、ニトロ化合物、エーテル類、アミン類等が挙げられる。
【００６７】
ニトロ化合物としては、例えば、ニトロメタン、ニトロエタン等の脂肪族ニトロ化合物、及びニトロベンゼン、ニトロスチレン等の芳香族ニトロ化合物等が挙げられる。
【００６８】
エーテル類としては、例えば、１，４−ジオキサン等が挙げられる。
【００６９】
アミン類としては、例えば、２，２，３，３，３−ペンタフルオロプロピルアミン、ジフェニルアミン等が挙げられる。
【００７０】
上記安定剤としては、上記ニトロ化合物、エーテル類及びアミン類以外にも、ブチルヒドロキシキシレン、ベンゾトリアゾール等が挙げられる。
【００７１】
上記安定剤の含有割合は、特に限定されず、冷媒全体に対して、通常、０．０１〜５質量％であり、０．０５〜３質量％が好ましく、０．１〜２質量％がより好ましく、０．２５〜１．５質量％が更に好ましく、０．５〜１質量％が特に好ましい。
【００７２】
なお、本開示の冷媒組成物の安定性の評価方法は、特に限定されず、一般的に用いられる手法で評価することができる。そのような手法の一例として、ＡＳＨＲＡＥ標準９７−２００７にしたがって遊離フッ素イオンの量を指標として評価する方法等が挙げられる。その他にも、全酸価（total acid number）を指標として評価する方法等も挙げられる。この方法は、例えば、ＡＳＴＭ  Ｄ  ９７４−０６にしたがって行うことができる。
【００７３】
２−５．重合禁止剤
本開示の冷媒組成物は、重合禁止剤を一種単独で含有してもよいし、二種以上を含有してもよい。
【００７４】
上記重合禁止剤としては、特に限定されず、一般に用いられる重合禁止剤の中から適宜選択することができる。
【００７５】
上記重合禁止剤としては、例えば、４−メトキシ−１−ナフトール、ヒドロキノン、ヒドロキノンメチルエーテル、ジメチル−ｔ−ブチルフェノール、２，６−ジ−ｔｅｒｔ−ブチル−ｐ−クレゾール、ベンゾトリアゾール等が挙げられる。
【００７６】
上記重合禁止剤の含有割合は、特に限定されず、冷媒全体に対して、通常、０．０１〜５質量％であり、０．０５〜３質量％が好ましく、０．１〜２質量％がより好ましく、０．２５〜１．５質量％が更に好ましく、０．５〜１質量％が特に好ましい。
【００７７】
３．冷凍機油含有作動流体
本開示の冷凍機油含有作動流体は、本開示の冷媒又は冷媒組成物と、冷凍機油とを少なくとも含み、冷凍機における作動流体として用いられる。具体的には、本開示の冷凍機油含有作動流体は、冷凍機の圧縮機において使用される冷凍機油と、冷媒又は冷媒組成物とが互いに混じり合うことにより得られる。
【００７８】
上記冷凍機油の含有割合は、特に限定されず、冷凍機油含有作動流体全体に対して、通常、１０〜５０質量％であり、１２．５〜４５質量％が好ましく、１５〜４０質量％がより好ましく、１７．５〜３５質量％が更に好ましく、２０〜３０質量％が特に好ましい。
【００７９】
３−１．冷凍機油
本開示の組成物は、冷凍機油を一種単独で含有してもよいし、二種以上を含有してもよい。
【００８０】
上記冷凍機油としては、特に限定されず、一般に用いられる冷凍機油の中から適宜選択することができる。その際には、必要に応じて、本開示の冷媒の混合物（本開示の混合冷媒）との相溶性（ｍｉｓｃｉｂｉｌｉｔｙ）及び本開示の混合冷媒の安定性等を向上する作用等の点でより優れている冷凍機油を適宜選択することができる。
【００８１】
上記冷凍機油の基油としては、例えば、ポリアルキレングリコール（ＰＡＧ）、ポリオールエステル（ＰＯＥ）及びポリビニルエーテル（ＰＶＥ）からなる群より選択される少なくとも一種が好ましい。
【００８２】
上記冷凍機油は、上記基油に加えて、更に添加剤を含んでいてもよい。
【００８３】
上記添加剤は、酸化防止剤、極圧剤、酸捕捉剤、酸素捕捉剤、銅不活性化剤、防錆剤、油性剤及び消泡剤からなる群より選択される少なくとも一種であってもよい。
【００８４】
上記冷凍機油としては、潤滑の点から、４０℃における動粘度が５〜４００ｃＳｔであるものが好ましい。
【００８５】
本開示の冷凍機油含有作動流体は、必要に応じて、更に少なくとも一種の添加剤を含んでもよい。添加剤としては例えば以下の相溶化剤等が挙げられる。
【００８６】
３−２．相溶化剤
本開示の冷凍機油含有作動流体は、相溶化剤を一種単独で含有してもよいし、二種以上を含有してもよい。
【００８７】
上記相溶化剤としては、特に限定されず、一般に用いられる相溶化剤の中から適宜選択することができる。
【００８８】
上記相溶化剤としては、例えば、ポリオキシアルキレングリコールエーテル、アミド、ニトリル、ケトン、クロロカーボン、エステル、ラクトン、アリールエーテル、フルオロエーテル、１，１，１−トリフルオロアルカン等が挙げられる。これらの中でも、ポリオキシアルキレングリコールエーテルが好ましい。
【００８９】
４．冷凍機の運転方法
本開示の冷凍機の運転方法は、本開示の冷媒を用いて冷凍機を運転する方法である。
【００９０】
具体的には、本開示の冷凍機の運転方法は、本開示の冷媒を含む組成物を作動流体として冷凍機において循環させる工程を含む。
【００９１】
５．熱移動媒体及びそれを用いた熱サイクルシステム
本開示の熱移動媒体は、本開示の冷媒を含む組成物を含有する。
【００９２】
本開示の熱移動媒体は、各種の熱サイクルシステムに好適に使用することができる。熱サイクルシステムは、本開示の熱移動媒体を備えることで、冷却能力の高い熱サイクルシステムとなり得る。
【００９３】
また、本開示の冷媒は、ＧＷＰが十分に低いため、既存の冷媒を使用した場合に比べて、本開示の熱移動媒体を備えることで、高い安全性を熱サイクルシステムに付与することができる。
【００９４】
しかも、本開示の熱移動媒体は、温度クライドも低いので、安定性の高い熱サイクルシステムを提供することができる。
【００９５】
熱サイクルシステムの種類は特に限定されない。熱サイクルシステムの例としては、ルームエアコン、店舗用パッケージエアコン、ビル用パッケージエアコン、設備用パッケージエアコン、一以上の室内機及び室外機を冷媒配管で接続したセパレート型エアコン、ウインドウ型エアコン、ポータブル型エアコン、ダクトで冷温風を搬送するルーフトップ型又はセントラル型エアコン、ガスエンジンヒートポンプ、列車用空調装置、自動車用空調装置、内蔵型ショーケース、別置型ショーケース、業務用冷凍冷蔵庫、製氷機、一体型冷凍機、自動販売機、カーエアコン、海上輸送等のコンテナ又は冷蔵庫を冷却するための冷凍機、チラーユニット、ターボ冷凍機、もしくは、暖房サイクル専用機を挙げることができる。当該暖房サイクル専用機とは、例えば、給湯装置、床暖房装置、融雪装置等が挙げられる。
【００９６】
上記例示列挙した熱サイクルシステムは、本開示の熱移動媒体を備える限り、その他の構成については、特に限定されず、例えば、公知の熱サイクルシステムと同様の構成とすることができる。
【実施例】
【００９７】
以下に、実施例を挙げて更に詳細に説明する。ただし、本開示は、これらの実施例に限定されるものではない。
【００９８】
実施例１〜２０及び比較例１〜１３
各実施例及び比較例に示される混合冷媒のＧＷＰ、並びに、Ｒ４１０Ａ（Ｒ３２＝５０％／Ｒ１２５＝５０％）のＧＷＰは、ＩＰＣＣ（Intergovernmental Panel on Climate Change）第４次報告書の値に基づいて評価した。
【００９９】
また、各実施例及び比較例に示される混合冷媒のＣＯＰ及び冷凍能力、並びに、Ｒ４１０ＡのＣＯＰ及び冷凍能力は、National Institute of Science and Technology(NIST)、Reference Fluid Thermodynamic and Transport Properties Database(Refprop 9.0)を使用し、下記条件で混合冷媒の冷凍サイクル理論計算を実施することにより求めた。
蒸発温度      ４５℃
凝縮温度        ５℃
過熱温度        ５Ｋ
過冷却温度      ５Ｋ
圧縮機効率    ７０％
【０１００】
また、これらの結果をもとに算出したＧＷＰ、ＣＯＰ及び冷凍能力を表１〜６に示す。なお、ＣＯＰ比及び冷凍能力比については、Ｒ４１０Ａに対する割合（％）を示す。
【０１０１】
成績係数（ＣＯＰ）は、次式により求めた。
ＣＯＰ＝（冷凍能力又は暖房能力）／消費電力量
【表１】
2019214720.tif 000002
【表２】
2019214720.tif 000003
【表３】
2019214720.tif 000004
【表４】
2019214720.tif 000005
【表５】
2019214720.tif 000006
【表６】
2019214720.tif 000007
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
冷媒を含有する組成物であって、
前記冷媒が、ＣＦ３Ｉ、ＣＯ２（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有し、
前記ＣＦ３Ｉ、前記ＣＯ２及び前記化合物Ａの合計量を１００質量％として、前記ＣＦ３Ｉを２０〜６９質量％含有し、前記ＣＯ２を１〜１０質量％含有する、組成物。
【請求項２】
冷媒を含有する組成物であって、
前記冷媒が、ＣＦ３Ｉ、ＣＯ２（Ｒ７４４）、ＨＦＣ−３２、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有し、
前記ＣＦ３Ｉ、前記ＣＯ２及び前記化合物Ａの合計量を１００質量％として、前記ＣＦ３Ｉを３８〜６９質量％含有し、前記ＣＯ２を１〜１０質量％含有する、組成物。
【請求項３】
冷媒を含有する組成物であって、
前記冷媒が、ＣＦ３Ｉ、ＣＯ２（Ｒ７４４）及びＨＦＣ−３２を含有し、前記冷媒中の前記ＨＦＣ−３２の含有量が３０質量％以上であり、
更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂのうち、少なくとも前記ＨＦＣ−１２５を含有し、前記冷媒中の前記ＨＦＣ−１２５の含有量が１０．０〜１２．５質量％である、組成物。
【請求項４】
前記冷媒が、更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂを含有する、請求項１又は２に記載の組成物。
【請求項５】
Ｒ４１０Ａの代替冷媒として用いられる、請求項１〜４のいずれかに記載の組成物。
【請求項６】
更に、冷凍機油を含有し、冷凍機用作動流体として用いられる、請求項１〜５のいずれかに記載の組成物。
【請求項７】
請求項１〜６のいずれかに記載の組成物を作動流体として含む、冷凍機。
【請求項８】
請求項１〜６のいずれかに記載の組成物を含む、熱移動媒体。
【請求項９】
請求項８に記載の熱移動媒体を用いた熱サイクルシステム。
【手続補正２】
【補正対象書類名】明細書
【補正対象項目名】０００７
【補正方法】変更
【補正の内容】
【０００７】
本開示は、下記に掲げる態様の発明を提供する。
１．冷媒を含有する組成物であって、
前記冷媒が、ＣＦ３Ｉ、ＣＯ２（Ｒ７４４）、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有し、
前記ＣＦ３Ｉ、前記ＣＯ２及び前記化合物Ａの合計量を１００質量％として、前記ＣＦ３Ｉを２０〜６９質量％含有し、前記ＣＯ２を１〜１０質量％含有する、組成物。
２．冷媒を含有する組成物であって、
前記冷媒が、ＣＦ３Ｉ、ＣＯ２（Ｒ７４４）、ＨＦＣ−３２、並びに、トリフルオロエチレン（ＨＦＯ−１１２３）、トランス−１，２−ジフルオロエチレン［（Ｅ）−ＨＦＯ−１１３２］、シス−１，２−ジフルオロエチレン［（Ｚ）−ＨＦＯ−１１３２］、フルオロエチレン（ＨＦＯ−１１４１）及び３，３，３−トリフルオロプロピン（ＴＦＰ）からなる群より選択される少なくとも１種の化合物Ａを含有し、
前記ＣＦ３Ｉ、前記ＣＯ２及び前記化合物Ａの合計量を１００質量％として、前記ＣＦ３Ｉを３８〜６９質量％含有し、前記ＣＯ２を１〜１０質量％含有する、組成物。
３．冷媒を含有する組成物であって、
前記冷媒が、ＣＦ３Ｉ、ＣＯ２（Ｒ７４４）及びＨＦＣ−３２を含有し、前記冷媒中の前記ＨＦＣ−３２の含有量が３０質量％以上であり、
更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂのうち、少なくとも前記ＨＦＣ−１２５を含有し、前記冷媒中の前記ＨＦＣ−１２５の含有量が１０．０〜１２．５質量％である、組成物。
４．前記冷媒が、更に、テトラフルオロメタン（ＦＣ−１４）、トリフルオロメタン（ＨＦＣ−２３）、ペンタフルオロエタン（ＨＦＣ−１２５）、１，１，１，２−テトラフルオロエタン（ＨＦＣ−１３４ａ）、１，１，２，２−テトラフルオロエタン（ＨＦＣ−１３４）、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、１，１，２−トリフルオロエタン（ＨＦＣ−１４３）、１，１，１，２，３，３，３−ヘプタフルオロプロパン（ＨＦＣ−２２７ｅａ）、２，３，３，３−テトラフルオロプロペン（ＨＦＯ−１２３４ｙｆ）、トランス−１，３，３，３−テトラフルオロプロペン［（Ｅ）−ＨＦＯ−１２３４ｚｅ］、１，２，３，３，３−ペンタフルオロプロペン（ＨＦＯ−１２２５ｙｅ）、３，３，３−トリフルオロプロペン（ＨＦＯ−１２４３ｚｆ）及びジフルオロプロペン（ＨＦＯ−１２５２）からなる群より選択される少なくとも１種の化合物Ｂを含有する、上記項１又は２に記載の組成物。
５．Ｒ４１０Ａの代替冷媒として用いられる、上記項１〜４のいずれかに記載の組成物。
６．更に、冷凍機油を含有し、冷凍機用作動流体として用いられる、上記項１〜５のいずれかに記載の組成物。
７．上記項１〜６のいずれかに記載の組成物を作動流体として含む、冷凍機。
８．上記項１〜６のいずれかに記載の組成物を含む、熱移動媒体。
９．上記項８に記載の熱移動媒体を用いた熱サイクルシステム。